(57)【要約】      （修正有）【課題】該紙巻きタバコの群の周囲に厚紙素材を折り曲げることによって形成されている剛性のあるヒンジ蓋付きボックスからなる紙巻きタバコのパケットにおいて、パケットが開封された後残っている紙巻きタバコの有機特性が劣化することを解消し、同時に安価で、かつ製造が容易なパッケージを提供する。【解決手段】パッケージ１は、密閉式内部パッケージ３と、密閉式内部パッケージ３を収容しているカップ状の剛性外側容器２とを有している。密閉式内部パッケージ３は、包装シートを折り曲げることによって形成されており、縦方向シール部によって熱融着され、密閉式内部パッケージ３を形成するようになっている。密閉式内部パッケージ３は、包装シートの引裂き線１９によって境界が定められている取出し開口部１８を有しており、取出し開口部１８は、上壁１２上に少なくとも部分的に拡がっている。【選択図】図２
2010285220.tif 000002
【特許請求の範囲】
【請求項１】
物品の群と、
前記物品の群を包み込んでいる平行６面体に形作られている密閉式内部パッケージ（３）であって、互いに向き合って、かつ平行になっている上壁（１２）および底壁（１３）と、互いに向き合って、かつ平行になっている前壁（１４）および後壁（１５）と、２つの互いに向き合って、かつ平行になっている横壁（１６）と、を有している密閉式内部パッケージ（３）と、
前記密閉式内部パッケージ（３）を収容しているカップ状の剛性外側容器（２）であって、開上端（４）と、前記開上端（４）をそれぞれ開放および閉鎖する開位置と閉位置との間で前記外側容器（２）に対して回転するように、ヒンジ（６）に沿って前記外側容器（２）にヒンジ結合されている蓋（５）と、を有している外側容器（２）と、
を備えており、
前記密閉式内部パッケージ（３）は、包装シート（１７）を折り曲げることによって形成されており、前記包装シート（１７）は、２つの横方向部分（２１）であって、互いに重ね合わされ、横方向シール部によって熱融着されるようになっている２つの横方向部分（２１）と、２つの縦方向部分（２２）であって、各々が折り曲げられ、縦方向シール部によって熱融着され、前記密閉式内部パッケージ（３）の横壁（１６）を形成するようになっている、２つの縦方向部分（２２）と、を有しており、
前記密閉式内部パッケージ（３）は、前記包装シート（１７）の引裂き線（１９）によって境界が定められている取出し開口部（１８）を有しており、前記取出し開口部（１８）は、前記密閉式内部パッケージ（３）の前記上壁（１２）上に部分的に拡がっていると共に、前記前壁（１４）と前記上壁（１２）との間の横方向折り目を跨いで、前記前壁（１４）の上に部分的に拡がっている、
パッケージ（１）において、  
前記２つの互いに重ねられた横方向部分（２１）の前記横方向シール部は、引裂き線（１９）を有していない前記包装シート（１７）の部分に形成されており、前記密閉式内部パッケージ（３）の前記前壁（１４）上に位置するようになっており、
前記２つの互いに重ねられた横方向部分（２１）の前記横方向シール部は、前記取出し開口部（１８）を画定している前記引裂き線（１９）の底縁の上方に部分的に位置しており、前記取出し開口部（１８）の底部分の凸形状を凹状に倣って前記取出し開口部（１８）の前記底部分を包囲するように、形作られている
ことを特徴とするパッケージ。
【請求項２】
前記取出し開口部（１８）を画定している前記引裂き線（１９）は、Ｕ字状の開ループになっており、前記引裂き線（１９）の内側の前記包装シート（１７）の部分は、ヒンジを中心として閉位置と開位置との間で移動可能になっていることを特徴とする請求項１に記載のパッケージ。
【請求項３】
前記取出し開口部（１８）を画定している前記引裂き線（１９）は、エンドレスになっており、前記引裂き線（１９）の内側の前記包装シート（１７）の部分は、前記密閉式内部パッケージ（３）が開封されたとき、完全に切除されるようになっていることを特徴とする請求項１に記載のパッケージ。
【請求項４】
前記２つの横方向部分（２１）は、互いに重ねられて前記横方向シール部によって熱融着されたとき、前記包装シート（１７）の残りの部分に対して直交して位置するようになっており、次いで、前記２つの互いに重ねられてかつ熱融着された横方向部分（２１）は、前記包装シート（１７）の残りの部分上に一緒に折り曲げられるようになっていることを特徴とする請求項１〜３のいずれか一項に記載のパッケージ。
【請求項５】
前記取出し開口部（１８）の外面が、前記外側容器（２）の前記蓋（５）の内面に接着されていることを特徴とする請求項１〜４のいずれか一項に記載のパッケージ。
【請求項６】
前記取出し開口部（１８）の外面に固定された摘みタブ（２０）をさらに備えていることを特徴とする請求項１〜５のいずれか一項に記載のパッケージ。
【請求項７】
物品の群と、平行６面体に形作られている密閉式内部パッケージ（３）と、を含んでいるパッケージを製造する包装方法であって、前記密閉式内部パッケージ（３）は、包装シート（１７）を折り曲げることによって形成されるようになっており、前記物品の群を包み込んでおり、互いに向き合って、かつ平行になっている上壁（１２）および底壁（１３）と、互いに向き合って、かつ平行になっている前壁（１４）および後壁（１５）と、２つの互いに向き合って、かつ平行になっている横壁（１６）と、を有している、包装方法において、
前記密閉式内部パッケージ（３）の前記上壁（１２）上に部分的に拡がると共に、前記前壁（１４）と前記上壁（１２）との間の横方向折り目を跨いで、前記前壁（１４）上に部分的に拡がる取出し開口部（１８）を形成するために、前記包装シート（１７）に引裂き線（１９）を切り込むステップと、
前記包装シート（１７）の２つの横方向部分（２１）を互いに重ね、横方向シール部によって熱融着するステップと、
前記包装シート（１７）の２つの縦方向部分（２２）を折り曲げ、それぞれの縦方向シール部によって熱融着し、前記密閉式内部パッケージ（３）の前記横壁（１６）を形成するステップと、
を含んでおり、
前記２つの互いに重ねられた横方向部分（２１）の前記横方向シール部を、引裂き線（１９）を有していない前記包装シート（１７）の部分に形成し、前記密閉式内部パッケージ（３）の前記前壁（１４）上において、前記取出し開口部（１８）を画定している前記引裂き線（１９）の底縁の上方に部分的に配置させるステップと、
前記２つの互いに重ねられた横方向部分（２１）の前記横方向シール部を、前記取出し開口部（１８）の底部分の凸形状を凹状に倣って前記取出し開口部（１８）の前記底部分を包囲するように、形作るステップと、
をさらに含んでいることを特徴とする包装方法。
【発明の詳細な説明】
【技術分野】
【０００１】
本発明は、密閉式内部パッケージを有するパッケージ、および関連する包装方法に関する。
【０００２】
本発明は、有利には、紙巻きタバコのパケットに適用されるものであり、以下の説明は、単なる例示として、紙巻きタバコのパケットに言及しているにすぎない。
【背景技術】
【０００３】
紙巻きタバコの群を収容しており、該紙巻きタバコの群の周囲に厚紙素材を折り曲げることによって形成されている剛性のあるヒンジ蓋付きボックスからなる紙巻きタバコのパケットは、周知のものである。紙巻きタバコは、環境に対して極めて鋭敏である。すなわち、大気に接触すると、それらの有機特性が、特に湿度の変動と共に、（タバコが著しく湿気を失うかまたは吸収することによって）、変化する傾向にある。紙巻きタバコを保存するために、紙巻きタバコのパケットは、通常、セロファンによって包まれている、すなわち、熱融着された気密プラスチック材料からなる上包みによって、包まれている。しかし、これは、特に、パケットが製造された後いくらかの時間を経た場合、パケット内の紙巻きタバコの有機特性を十分に保存するのに、必ずしも十分でないことがある。さらに、パケットが開封されると、上包みが取り去られるので、パケット内の紙巻きタバコが大気に晒されることになる。また、もしパケットが開封された後、紙巻きタバコがすぐに消費されなかった場合、残っている紙巻きタバコの有機特性が劣化することがある。
【発明の概要】
【発明が解決しようとする課題】
【０００４】
本発明の目的は、前述の欠点を解消するように設計されており、同時に安価で、かつ製造が容易なパッケージを提供することにある。
【課題を解決するための手段】
【０００５】
本発明によれば、添付の請求項に記載の紙巻きタバコのパッケージが提供されることになる。
【０００６】
添付の図面を参照して、単なる例示にすぎないが、本発明のいくつかの非制限的な実施形態について説明する。
【図面の簡単な説明】
【０００７】
【図１】閉じた形態にある紙巻きタバコのパケットの正面斜視図である。
【図２】開いた形態にある図１の紙巻きタバコのパケットの正面斜視図である。
【図３】図１のパケットの密閉式内部パッケージの正面斜視図である。
【図４】図３の密閉式内部パッケージの背面斜視図である。
【図５】図３の密閉式内部パッケージを形成するための包装シートの展開平面図である。
【図６】図５の包装シートを折り曲げ、図３の密閉式内部パッケージを形成する作業の一工程の斜視図である。
【図７】図４の密閉式内部パッケージの一変更例の正面斜視図である。
【図８】本発明による紙巻きタバコのパケットのさらに他の実施形態であって、開いた形態にある実施形態の正面斜視図である。
【図９】図８の紙巻きタバコのパケットの密閉式内部パッケージの正面斜視図である。
【図１０】本発明による図８の密閉式内部パッケージの一変更例の正面斜視図である。
【発明を実施するための形態】
【０００８】
図１，２の番号１は、紙巻きタバコのパケットによって画定されているパッケージを総称的に示している。このパッケージ１は、剛性厚紙からなるカップ状の外側容器２と、外側容器２の内側に収容されており、紙巻きタバコの群（図示せず）を包み込んでいる密閉式内部パッケージ３と、を備えている。
【０００９】
外側容器２は、密閉式内部パッケージ３の周囲に厚紙素材（図示せず）を折り曲げることによって形成されている。この外側容器２は、開上端４を有しており、開上端４をそれぞれ開放および閉鎖する開位置（図２）と閉位置（図１）との間で容器２に対して回転するように、ヒンジ６に沿って容器２にヒンジ結合されているカップ状の蓋５を備えている。
【００１０】
外側容器２は、平行６面体に形作られており、互いに向き合ってかつ平行になっている上壁７および底壁８と、互いに向き合って、かつ平行になっている前壁９および後壁１０と、２つの互いに向き合って、かつ平行になっている横壁１１と、を有している。４つの縦方向縁が、横壁１１と前壁９および後壁１０との間に画定されており、８つの横方向縁が、上壁７および底壁８と前壁９および底壁１０との間に画定されている。
【００１１】
図３，４に示されているように、紙巻きタバコの群を包み込んでいる密閉式内部パッケージ３は、平行６面体に形作られており、互いに向き合ってかつ平行になっている上壁１２および底壁１３と、互いに向き合って、かつ平行になっている前壁１４および後壁１５と、２つの互いに向き合って、かつ平行になっている横壁１６と、を有している。図５に示されているように、密閉式内部パッケージ３は、熱融着包装、典型的には、層状包装を可能とする（すなわち、多数の重なった層を備えており、それらの外層が、熱可塑性プラスチックであり、従って、熱融着可能になっている）矩形状のシート１７を折り曲げることによって、形成されるようになっている。
【００１２】
図３，４，５に示されているように、密閉式内部パッケージ３は、包装シート１７の引裂き線１９によって境界が定められている取出し開口部１８を有している。この取出し開口部１８は、密閉式内部パッケージ３の上壁１２上に拡がっている。パッケージ１を開封するために、ユーザは、包装シート１７を引裂き線１９に沿って引裂き、取出し開口部１８を開け、これによって、密閉式内部パッケージ３の内側に指を伸ばすことができる。引裂き線１９は、局所的に、具体的には、包装シート１７の残余の略１０％〜２０％の部分に、包装シート１７の引裂き抵抗を低下させるように制御された深さの切込みを入れることによって、画定されている。また、引裂き線１９は、目盛付きカッターを用いる機械的な切込みによって形成されてもよいし、層状材料の場合、切除する層のみに作用するレーザビームを用いて、１層または複数層を選択的に切除することによって、形成されてもよい。
【００１３】
図面に示されている実施形態では、取出し開口部１８を画定している引裂き線１９は、Ｕ字状の開ループになっており、引裂き線１９の内側の包装シート１７の部分は、閉位置と開位置との間でヒンジ線を中心として回転するようになっている。図示されていない別の実施形態では、取出し開口部１８を画定している引裂き線１９は、エンドレス（無限、endless）になっており、引裂き線１９の内側の包装シート１７の部分は、密閉式内部パッケージ３を開封したとき（すなわち、パッケージ１を開封したとき）、完全に剥ぎ取られるようになっている。
【００１４】
一実施形態では、取出し開口部１８の外面に固定（接着または熱融着）されており、該外面から外方に突出している掴みタブ２０が具備されている。この掴みタブ２０は、通常、取出し開口部１８内における引裂き線１９の底縁の近くの位置に配置されている。実際の使用では、掴みタブ２０は、ユーザの指間に挟まれ、取出し開口部１８に引張り力を加え、これによって、取出し開口部１８を容易に開けることが可能になる。代替的実施形態では、取出し開口部１８の外面が外側容器２の蓋５の内面に接着されており、蓋５を開閉するときに、取出し開口部１８が自動的に開閉され、これによって、パッケージ１をさらに一層簡単、かつ迅速に取り扱うことが可能になる。
【００１５】
さらに他の実施形態では、取出し開口部１８は、簡単に圧力を加え、すなわち、取出し開口部１８を密閉式内部パッケージ３の内側にわずかに押し込み、包装シート１７を引裂き線１９に沿って引裂くことによって、開封されるようになっていてもよい。
【００１６】
図５に示されているように、包装シート１７は、矩形の形状を有している。この包装シート１７は、包装シート１７の縦方向の両端に位置している２つの横方向部分２１であって、互いに重ねられ、横方向シール部によって熱融着されるようになっている２つの横方向部分２１と、包装シート１７の横方向の両端に位置している２つの縦方向部分２２であって、各々が折り曲げられ、縦方向シール部によって熱融着され、密閉式内部パッケージ３の横壁１６を画定するようになっている２つの縦方向部分２２と、を有している。代替的実施形態では、密閉式内部パッケージ３の各横方向壁１６は、相互に重ねられて熱融着される２つの縦方向部分２２によって、画定されるようになっていてもよい。
【００１７】
２つの横方向部分２１と、２つの縦方向部分２２との間に、包装シート１７は、後壁１５の一部を形成することになる部分１５’と、上壁１２を形成することになる部分１２’と、前壁１４を形成することになる部分１４’と、底壁１３を形成することになる部分１３’と、後壁１５の残りの部分を形成することになる部分１５”と、を備えている。
【００１８】
包装シート１７を折り曲げる作業が、図６に部分的に示されている。この折り曲げる業は、まず、包装シート１７を紙巻きタバコの群の周囲にＵ字状に折り曲げることを含んでいる。この時点で、図６に示されているように、包装シート１７は、紙巻きタバコの群の周囲にさらに折り曲げられ、２つの開いた横方向端（図６には１つのみが図示されている）が包装シート１７の２つの縦方向部分２２になっている管状の包装体を形成することになる。図６に示されているように、管状の包装体が形成されると、２つの横方向部分２１は、密閉式内部パッケージ３の後壁１５に直交して位置することになり、後壁１５に直交したこの状態を維持しながら、互いに重ねられ、熱融着されることになる。次いで、２つの互いに重ねられ、熱融着された横方向部分２１は、密閉式内部パッケージ３の後壁１５上に一緒に折り曲げられることになる。２つの横方向部分２１は、グリッパを用いて、互いに熱融着されるようになっている。このグリッパは、紙巻きタバコの群にいかなる圧力も加えることなく、２つの互いに重ねられた横方向部分２１を一緒に加圧するものである。２つの互いに重ねられた横方向部分２１の位置は、包装シート１７の位置を紙巻きタバコの群に対して調整することによって、上下に移動させることができることに留意することが重要である。
【００１９】
２つの互いに重ねられた横方向部分２１を熱融着することによって、管状の包装体が安定になった時点で、包装シート１７を紙巻きタバコの群の周囲に折り曲げて、密閉式内部パッケージ３を形成する作業は、包装シート１７の２つの縦方向部分２２を折り曲げ、熱融着することによって、完結することになる。
【００２０】
図１〜６において、取出し開口部１８は、上壁１２上のみに拡がっている。図７〜１０の実施形態では、取出し開口部１８は、密閉式内部パッケージ３の前壁１４と上壁１２との間の横方向折り目を跨いで、上壁１２および前壁１４上に拡がっている。
【００２１】
従って、２つの互いに重ねられた横方向部分２１の横方向シール部は、引裂き線１９を有していない包装シート１７の部分に作られている。これは、取出し開口部１８を開封して包装シート１７を引裂き線１９に沿って引裂くことを極めて容易にできるので、重要な特性である。逆に、２つの互いに重ねられた横方向部分２１の横方向シール部が引裂き線１９を横断している場合、取出し開口部１８の開封は、ユーザ側に極めて大きな努力を強いることになるので、より面倒である。また、これは、２つの互いに重ねられた横方向部分２１の横方向シール部が引裂き線１９を横断する箇所において、引裂き線１９が局部的に強化されることになるので、引裂き線１９に沿った箇所以外の箇所で、包装シート１７の他の部分が引裂かれる可能性がある。
【００２２】
さらに、２つの互いに重ねられた横方向部分２１の横方向シール部が、引裂き線１９を有していない（従って、引裂き線１９が描かれていない）包装シート１７の部分に作られているという事実によって、パッケージ１の外観も改善されることになる。
【００２３】
最後に、引裂き線１９から、２つの互いに重ねられた横方向部分２１の横方向シール部が距離を隔てていることによって、より大きな取出し開口部１８を作ることができ、これによって、取り出し開口１８から紙巻きタバコをより容易に取り出すことができる。
【００２４】
図３，図４の実施形態では、２つの互いに重ねられた横方向部分２１の横方向シール部は、密閉式内部パッケージ３の後壁１５上に位置している。図７，図９，図１０の実施形態では、２つの互いに重ねられた横方向部分２１の横方向シール部は、密閉式内部パッケージ３の前壁１４上に位置している。図７，図９の変形例では、２つの互いに重ねられた横方向部分２１の横方向シール部は、取出し開口部１８を画定している引裂き線１９の底縁から完全に下方に位置している。図１０の変形例では、２つの互いに重ねられた横方向部分２１間の横方向シール部は、取出し開口部１８を画定している引裂き線１９の底縁の上方に部分的に位置しており、取出し開口部１８の底部分の凸形状を凹状に倣って該底部分を包囲するように、形作られている。
【００２５】
記載されているパッケージ１は、多くの利点を有している。特に、パッケージ１は、安価で、かつ容易に製造することができ、迅速、かつ容易に取り扱うことができ、とりわけ、（特に、パッケージ１が用いられていないとき、取出し開口部１８が閉鎖されるようになっている実施形態では）、内側の紙巻きタバコが、大気からより確実に保護されることになる。
【図１】
2010285220.tif 000003
【図２】
2010285220.tif 000004
【図３】
2010285220.tif 000005
【図４】
2010285220.tif 000006
【図５】
2010285220.tif 000007
【図６】
2010285220.tif 000008
【図７】
2010285220.tif 000009
【図８】
2010285220.tif 000010
【図９】
2010285220.tif 000011
【図１０】
2010285220.tif 000012
【外国語明細書】
2010285220.tif 000013
2010285220.tif 000014
2010285220.tif 000015
2010285220.tif 000016
2010285220.tif 000017
2010285220.tif 000018
2010285220.tif 000019
2010285220.tif 000020
2010285220.tif 000021
2010285220.tif 000022
2010285220.tif 000023
2010285220.tif 000024
2010285220.tif 000025
2010285220.tif 000026
2010285220.tif 000027
2010285220.tif 000028
2010285220.tif 000029
2010285220.tif 000030
2010285220.tif 000031